(57)【特許請求の範囲】
【請求項１】
窓枠１１に複数の取付金具１２を取付け、更に該取付金具１２と共に窓枠１１に取り付け、前記窓枠１１を壁１０の取付孔１０ａに挿入することにより、窓枠１１を取付孔１０ａの周囲に係止する仮止具９において、
該仮止具９を固定部９ａとフック部９ｄと、固定部９ａとフック部９ｄの間を連結する弾性体９ｈで構成し、該フック部９ｄは側面視で三角形状で、斜辺部９ｅを傾斜面とし、前記壁１０の取付孔１０ａに嵌め込む際に、取付孔１０ａの端面が斜辺部９ｅに当たりガイドし、弾性体９ｈが後方へ曲がり変形すべく構成し、
前記固定部９ａには、該仮止具９を窓枠１１に固定する為のネジ孔９ｂを開口し、該ネジ孔９ｂの延長方向に位置するフック部９ｄに、切欠部９ｇを設けたことを特徴とする窓枠の仮止具。
【請求項２】
請求項１記載の窓枠の仮止具において、前記固定部９ａの下面に脚部９ｃを設け、前記固定部９ａから脚部９ｃにネジ孔９ｂを開口したことを特徴とする窓枠の仮止具。
【発明の詳細な説明】
【０００１】
【発明の属する技術分野】
本発明は、窓枠を壁に設けた取付孔に固定するときに使用する窓枠の仮止具の構成に関する。
【０００２】
【従来の技術】
従来家屋の外壁を工場で製作して、工場内で窓枠を組み付けて出荷して現地で組み立てる場合において、外壁の所定箇所にくり抜き孔を開口し、外壁の外側を上に向けた水平の状態として、窓枠を上方から挿入して、裏側（下側）から複数の取付金具を係止してネジを締め付けて固定していた。
また、現場において外壁を立てた状態では、外側より窓枠を挿入して内側より複数の取付金具で固定していた。
【０００３】
【発明が解決しようとする課題】
しかし、前者の場合、複数の取付金具のうちのいくつかのネジを締め忘れることがあると、外壁を立てかけた時や、クレーン等で持ち上げて搬送する時に、窓枠が脱落する恐れがあり、この窓枠にはガラスが嵌め込まれているために、重量が重くなり落下するとガラスが割れてしまい、怪我する恐れも有り、損害も大きくなるという課題を有していた。
また、後者の場合、窓枠を壁の取付孔に挿入した状態で、一方の人が窓枠を支えた状態のまま、他方の人が家屋内に入り、取付金具を締め付けて固定する必要があり、複数の作業者が必要となっていた。
【０００４】
また、取付金具を締め付けて固定してしまうと、位置ズレを補正することが難しく、少しずつネジを緩めてから微調整しなければならず大変面倒な作業となってしまう。
また、大きな窓枠の場合、重量が重くなるため、障子やガラス戸を外してから窓枠を取り付けて取付金具で固定して、後から障子やガラス戸を嵌め込むようにしていたので、作業が煩わしく手間がかかっていた。
【０００５】
【課題を解決するための手段】
本発明は上記課題を解決するために次の如く構成した。
請求項１においては、窓枠１１に複数の取付金具１２を取付け、更に該取付金具１２と共に窓枠１１に取り付け、前記窓枠１１を壁１０の取付孔１０ａに挿入することにより、窓枠１１を取付孔１０ａの周囲に係止する仮止具９において、該仮止具９を固定部９ａとフック部９ｄと、固定部９ａとフック部９ｄの間を連結する弾性体９ｈで構成し、該フック部９ｄは側面視で三角形状で、斜辺部９ｅを傾斜面とし、前記壁１０の取付孔１０ａに嵌め込む際に、取付孔１０ａの端面が斜辺部９ｅに当たりガイドし、弾性体９ｈが後方へ曲がり変形すべく構成し、前記固定部９ａには、該仮止具９を窓枠１１に固定する為のネジ孔９ｂを開口し、該ネジ孔９ｂの延長方向に位置するフック部９ｄに、切欠部９ｇを設けたものである。
【０００６】
請求項２においては、請求項１記載の窓枠の仮止具において、前記固定部９ａの下面に脚部９ｃを設け、前記固定部９ａから脚部９ｃにネジ孔９ｂを開口したものである。
【０００７】
【発明の実施の形態】
以下、本発明の一例を上開き回動型の窓を壁に取り付ける場合について図面を参照しながら説明する。
図１は窓を壁に取り付けた状態の断面図、
図２は仮止具の平面図、
図３は同じく側面図、
図４は同じく側面断面図である。
【０００８】
図５は同じく斜視図、
図６は仮止具を窓枠に取り付ける状態を示す側面断面図、
図７は仮止具の他の実施例を示す斜視図、
図８は仮止具を取り付けた窓枠を壁の取付孔に挿入する状態を示す断面図、
図９は仮止具の取付位置を示す窓の正面図、
図１０は同じく仮止具の取付位置の他の実施例を示す正面図である。
【０００９】
図１において、窓を取り付ける壁１０の所定位置には取付孔１０ａが開口され、該取付孔１０ａに窓枠１１が挿入されて、取付金具１２・１２・・・によって固定される。まず、窓枠１１の構成から説明する。
窓枠１１は上枠１３と下枠１４と左右の縦枠１５・１５によって四角形状に枠組み構成され、該下枠１４の室内側上部には回転支持部１６が設けられて、上開き回動窓２０の下部に構成した回動支点部２１が係合されて、窓枠１１内部に嵌め込んで開閉可能としている。
【００１０】
前記上開き回動窓２０は上框２２と下框２３と左右の縦框２４・２４を四角形状に枠組み構成して、この上框２２と下框２３と縦框２４・２４の内側に窓ガラス２５・２６を平行に配置して二重ガラスとしている。
前記上框２２の内側と前記上枠１３の内側下面の間の左右中央にはロック装置２７が配置されて、上開き回動窓２０を閉じた状態でロックできるようにしている。また、上框２２と下框２３と縦框２４・２４の外側外周と、前記上枠１３と下枠１４と縦枠１５・１５の内周の間にはシール部材２９が配置され、隙間風や雨等が浸入しないようにしている。
【００１１】
そして、窓枠１１の内側の縁部１１ａ外周が内壁３０の開口部に固定した額縁３１に固定され、窓枠１１の外側の上枠１３と下枠１４と左右の縦枠１５・１５は前記取付孔１０ａよりも大きくして内側に折り込むように構成している。
この上枠１３と下枠１４と左右の縦枠１５・１５の端部には、縁部１１ｂを構成して、この縁部１１ｂに取付金具１２と本発明の仮止具９を固定する。
【００１２】
前記取付金具１２はプレートが階段状に折り曲げられた支持プレート３２と、押さえプレート３３と、両者を連結するボルト３４より構成されており、前記支持プレート３２の一端は平面部としてネジ孔を開口してネジ（またはボルト）によって前記縁部１１ｂに固定する。
支持プレート３２の中途部は壁１０の厚さに合わせた長さとして、他端の平面部にネジ孔を開口し、押さえプレート３３の一端にもネジ孔を開口して両者をボルト３４に連結している。そして、窓枠１１を壁１０に装着して押さえプレート３３の他端を壁１０側に当ててボルト３４を締め付けて、窓枠１１を壁１０に固定できるようにしている。
【００１３】
次に、本発明の仮止具９の構成を説明する。
図２〜図５に示すように、仮止具９は側面視で略Ｌ字状に構成され、下部の固定部９ａと上部のフック部９ｄと両者の間を連結する弾性体９ｈで構成されている。
本実施例では合成樹脂によってこれらを一体的に構成されているが、固定部９ａとフック部９ｄを別体として鋼板等の弾性部材で連結する構成とすることも可能である。
【００１４】
該仮止具９の固定部９ａは水平状のプレートとして、その下面には円筒状の脚部９ｃが垂設され、該固定部９ａの中央部から脚部９ｃの軸心部にネジ孔９ｂが貫通して開口され、該ネジ孔９ｂの上端にはざぐりした面取り部９ｉが形成され、図６で示すように、皿ネジ３５で固定するときに、ネジの締め始めに、ネジ先端が面取り部９ｉにガイドされてネジ孔９ｂに容易に入るようにガイドをする役目がある。
前記脚部９ｃの長さＬ１は、前記縁部１１ｂと窓枠の底部１１ｃとの間隔よりも短いが、図６のように、斜めにした状態から固定部９ａを縁部１１ｂの下方にセットできる程度に長くしている。そして、ドライバー３６で皿ネジ３５を締め付けて仮止具９を固定するときには、脚部９ｃが窓枠の外周部の底部１１ｃに当たり、仮止具９が押されて逃げることがなく、押しつけながら力を入れて容易に締め付けることができるようにしている。
また、脚部９ｃによって皿ネジ３５のかかり代（脚部９ｃでの螺装部）が長くなり、安定して確実に固定することができ、ネジ部が緩んだり変形したりし難くなるのである。但し、皿ネジは限定するものではなく、皿ネジの代わりにタッピングネジを使用しても良く、その折、ネジ孔９ｂに予め雌ネジをきる必要がない。
【００１５】
前記仮止具９の中途部の弾性体９ｈは、固定部９ａに対して垂直よりも若干鋭角としている。該仮止具９の上部のフック部９ｄは側面視で三角形状として、該フック部９ｄの斜辺部９ｅは前下がり傾斜として、フック部９ｄの底辺部９ｆと固定部９ａの上面との間の長さＬ２は壁１０の厚さより若干長くしている。
よって、壁１０の取付孔１０ａに嵌め込む時に、取付孔１０ａの端面が斜辺部９ｅに当たりガイドされ、弾性体９ｈが後方へ曲がり変形する。そして嵌合した後には弾性体９ｈの弾性により戻り、底辺部９ｆが取付孔１０ａの端面に引っ掛かり抜けないようにするのである。
【００１６】
また、前記底辺部９ｆの中央には図２、図５に示すように、前記ネジ孔９ｂの位置に合わせてその上方位置で、前方を開放した切欠部９ｇが形成されている。よって、図６に示すようにドライバー３６で皿ネジ３５を締め付けるとき、切欠部９ｇにドライバー３６のシャフトが入り、締め付けの邪魔にならないようにしている。
なお、本実施例では凹状の切欠であるが形状は限定せず、また、孔を開口することもできる。また、底辺部９ｆと斜辺部９ｅで囲まれる部分はくり抜き軽量化及び材料の減量化を図っているが、埋めて強度をアップすることも可能である。
【００１７】
また、前記仮止具９は図７に示すように、鋼材のプレートを折り曲げて構成することも可能である。つまり、仮止具９’は側面視「コ」字状に折り曲げて、下固定部９ａ’の中央にネジ孔９ｂ’を開口して縁部１１ｂにネジによって取り付けられるようにし、上部のフック部９ｄ’はプレートを鋭角に折り曲げて三角形状とし、その斜辺部９ｅ’に前方を開放した切欠部９ｇ’を構成している。
【００１８】
このように構成した仮止具９は、図６のように、窓枠１１の縁部１１ｂの外側から固定部９ａを挿入して、皿ネジ３５によって縁部１１ｂに固定する。この仮止具９は窓枠１１に複数取り付けられて仮止めする。例えば、小さい窓の場合には、上下または左右に一つずつ取り付け、やや大きくなると、図９に示すように、上側に二つ下側に一つ、または、図１０に示すように、左右上部に二つ下側に一つ配置する。つまり、三角形状に三つ配置する。更に大きな窓の場合には適宜間隔を開けて４箇所以上配置する。この仮止具９の数は二つ以上であれば限定しないが、窓枠１１の重量を支えるときに十分耐えられる数の仮止具９は必要である。
【００１９】
こうして、窓枠１１に仮止具９を取り付けて、工場で組み立てるときには図８に示すように、壁１０の外側を上向きの水平にした状態で、取付孔１０ａの上方から窓枠１１を下げると、仮止具９の斜辺部９ｅが取付孔１０ａの端面に当たりながら後退して、固定部９ａに当たるまで押し込むと、フック部９ｄは弾性体９ｈの弾性により元の位置に戻り、底辺部９ｆが壁１０の内側に当たり抜けないようになる。
なお、壁１０を立てた状態で取付孔１０ａに窓枠１１を挿入する場合も同様となる。
【００２０】
この状態で下側から取付金具１２の押さえプレート３３を壁側へ回転させて押さえ、固定ボルト３４を締め付けて窓枠１１を壁１０に固定するのである。この取付金具１２は図９に示すように、各辺毎に複数（本実施例では２個）取り付けられるので、万一そのうちのいくつかが締め忘れられても、立ち上げたときや搬送時にガタつくことはあっても仮止具９によって外れることはないのである。
また、固定ボルト３４を締める前の仮止めの状態では窓枠１１を取付孔１０ａの範囲でズラせることは可能であり、位置調整ができ、その位置で固定ボルト３４を締め付けて固定すればよいのである。
ただし、本実施例では壁のくり抜き孔１０ａに窓枠１１を取り付ける場合に本発明の仮止具９を使用しているが、壁のくり抜き孔に取り付けるその他のサッシや換気装置等にも適用可能である。
【００２１】
【発明の効果】
本発明は以上の構成としたので、次のような効果を奏する。
請求項１の如く、窓枠に取り付けて壁の取付孔に挿入したときに、取付孔の周囲に係止する仮止具であって、固定部とフック部を設けたので、複数の仮止具の固定部を窓枠に固定するだけで、壁の取付孔に窓枠を挿入すればフック部が取付孔に係止され抜けることがなく、窓枠に設けた複数の取付金具の一部に締め付け忘れがあっても窓枠は脱落することがなく、振動があっても外れず、壁を立てかけた時や搬送時等で、窓枠が外れて破損することを防止できるようになったのである。
【００２２】
また、立てかけた壁の取付孔に窓枠を取り付ける場合、外側から嵌め込むだけで、外れることがないので、片方で窓枠を支える複数の作業者が不要となり、省力化が可能となり、組立作業のスピードアップも図れるのである。
また、窓枠を取付孔に嵌め込んだ仮止めの状態で維持できるので、位置調整が容易にでき、修正が簡単に行えて組立精度も高くすることができるのである。また、窓が大きくなり重量が重くなってもガラス戸や障子等を外すことなく組立ができるようになり、作業効率を向上することもできるのである。
【００２３】
また、前記固定部とフック部の間を弾性体で連結したので、窓枠を壁の取付孔に挿入するときに、フック部が後退するが、弾性体によって挿入後は復元するので、自動的に係止でき、フックを係止させるための操作が不要となり、挿入時の作業を簡単にできる。
【００２４】
また、前記固定部にネジ孔を開口し、該ネジ孔の上方に位置するフック部に切欠部を設けたので、ドライバーを用いてネジを締め付ける時に、ドライバーのシャフトが切欠部に入り、フック部に邪魔されることなく締め付けることができる。
【００２５】
また、請求項２の如く、前記固定部の下面に脚部を設けたので、仮止具をネジで窓枠に固定するためのネジの締め付け代を長くすることができ、安定して固定することができる。また、ネジを締め付けるときに脚部が、窓枠１１の底部１１ｃに当たるようになり、締め付け時に仮止具が逃げず、殆ど支えることなく簡単に組み付け固定できる。
【図面の簡単な説明】
【図１】  窓を壁に取り付けた状態の断面図である。
【図２】  仮止具の平面図である。
【図３】  同じく側面図である。
【図４】  同じく側面断面図である。
【図５】  同じく斜視図である。
【図６】  仮止具を窓枠に取り付ける状態を示す側面断面図である。
【図７】  仮止具の他の実施例を示す斜視図である。
【図８】  仮止具を取り付けた窓枠を壁の取付孔に挿入する状態を示す断面図である。
【図９】  仮止具の取付位置を示す窓の正面図である。
【図１０】  同じく仮止具の取付位置の他の実施例を示す正面図である。
【符号の説明】
９    仮止具
９ａ  固定部
９ｂ  ネジ孔
９ｃ  脚部
９ｄ  フック部
９ｇ  切欠部
９ｈ  弾性体
１０  壁
１０ａ  取付孔
１１  窓枠
【図１】
0003636281.tif 000002
【図２】
0003636281.tif 000003
【図３】
0003636281.tif 000004
【図４】
0003636281.tif 000005
【図５】
0003636281.tif 000006
【図６】
0003636281.tif 000007
【図７】
0003636281.tif 000008
【図８】
0003636281.tif 000009
【図９】
0003636281.tif 000010
【図１０】
0003636281.tif 000011